(57)【要約】      （修正有）【課題】収容された線香の取り出しが容易な線香用箱を提供する。【解決手段】本線香用箱１０は、基部と、該基部の前後から立設された前壁２６および後壁とを有する本体２０と、線香１００を収容するための線香収容空間を有する、前壁２６の上縁部２８に回動自在に接続された線香収容部６０と、後壁の上縁部２７に回動自在に接続された蓋部４０とを備える。不使用時には、格納位置に配置された線香収容部６０の少なくとも一部が蓋部４０により被覆され、使用時には、使用位置へと回動された線香収容部６０が、蓋部４０により斜めに支承される。【選択図】図３
0003169817.tif 000002
【実用新案登録請求の範囲】
【請求項１】
基部と、前記基部の前後から立設された前壁および後壁と、を有する本体と、
線香を収容するための線香収容空間を有する、前記前壁の上縁部に回動自在に接続された線香収容部と、
前記後壁の上縁部に回動自在に接続された蓋部と、を備え、
不使用時には、格納位置に配置された前記線香収容部の少なくとも一部が前記蓋部により被覆され、
使用時には、使用位置へと回動された前記線香収容部が、前記蓋部により斜めに支承されることを特徴とする線香用箱。
【請求項２】
前記線香収容部は、前記格納位置において前記本体の前記基部上に載置される底部と、前記本体の前記前壁の上縁部に回動自在に接続される上部と、前記底部および前記上部の左右両端をそれぞれ接続する左側部および右側部と、前記左側部の前端と前記右側部の前端とを接続する前部と、をさらに有し、
前記底部、前記上部、前記左側部、前記右側部、および前記前部により形成される空間内に、前記前部に対して傾斜する内傾斜部が設けられ、
前記底部、前記上部、前記左側部、前記右側部、および前記内傾斜部により前記線香収容空間が形成され、
不使用時には、前記格納位置に配置された前記線香収容部の前記上部の少なくとも一部が前記蓋部により被覆され、
使用時には、前記使用位置へと回動された前記線香収容部の前記底部が、前記蓋部により斜めに支承されることを特徴とする請求項１に記載の線香用箱。
【請求項３】
前記本体は、前記基部の左右から立設されて前記前壁および前記後壁の左右両端部を接続する左側壁および右側壁を有し、
前記線香収容部は、前記格納位置にあるとき、前記前壁、前記後壁、前記左側壁、および前記右側壁により囲まれ、
前記線香収容部が前記格納位置にあるとき、前記左側壁と前記左側部との間および前記右側壁と前記右側部との間に空間が設けられることを特徴とする請求項２記載の線香用箱。
【考案の詳細な説明】
【技術分野】
【０００１】
本考案は、線香を収容するための線香用箱に関するものである。
【背景技術】
【０００２】
細長い棒状の線香は折れやすいため、通常、寝かせた状態で箱に入れられ、上側から蓋を被せられて輸送、販売、保管等が行われる（例えば、特許文献１参照）。
【先行技術文献】
【特許文献】
【０００３】
【特許文献１】特開平８−１３３３６５号公報
【考案の概要】
【考案が解決しようとする課題】
【０００４】
ところで、線香を使用する際には、使用する本数を取り出して点火する必要があるが、寝かせた状態で箱に入った線香を取り出すのは容易ではない。そのため、使用時の手間を軽減するために、別途用意された線香入れに何本かの線香を立てた状態で予め入れておき、そこから一本ずつ取り出して使用することが広く行なわれている。しかしながら、線香入れへの移し替えにおいても、寝かせた状態の線香を箱から取り出すのは容易でなく、手間がかかる。
【０００５】
本考案は上記の課題に鑑みてなされたものであり、線香の取り出しを容易にできる線香用箱を提供するものである。
【課題を解決するための手段】
【０００６】
本考案の上記目的は、下記の構成により達成される。
（１）  基部と、前記基部の前後から立設された前壁および後壁と、を有する本体と、
線香を収容するための線香収容空間を有する、前記前壁の上縁部に回動自在に接続された線香収容部と、
前記後壁の上縁部に回動自在に接続された蓋部と、を備え、
不使用時には、格納位置に配置された前記線香収容部の少なくとも一部が前記蓋部により被覆され、
使用時には、使用位置へと回動された前記線香収容部が、前記蓋部により斜めに支承されることを特徴とする線香用箱。
（２）  前記線香収容部は、前記格納位置において前記本体の前記基部上に載置される底部と、前記本体の前記前壁の上縁部に回動自在に接続される上部と、前記底部および前記上部の左右両端をそれぞれ接続する左側部および右側部と、前記左側部の前端と前記右側部の前端とを接続する前部と、をさらに有し、
前記底部、前記上部、前記左側部、前記右側部、および前記前部により形成される空間内に、前記前部に対して傾斜する内傾斜部が設けられ、
前記底部、前記上部、前記左側部、前記右側部、および前記内傾斜部により前記線香収容空間が形成され、
不使用時には、前記格納位置に配置された前記線香収容部の前記上部の少なくとも一部が前記蓋部により被覆され、
使用時には、前記使用位置へと回動された前記線香収容部の前記底部が、前記蓋部により斜めに支承されることを特徴とする上記（１）に記載の線香用箱。
（３）  前記本体は、前記基部の左右から立設されて前記前壁および前記後壁の左右両端部を接続する左側壁および右側壁を有し、
前記線香収容部は、前記格納位置にあるとき、前記前壁、前記後壁、前記左側壁、および前記右側壁により囲まれ、
前記線香収容部が前記格納位置にあるとき、前記左側壁と前記左側部との間および前記右側壁と前記右側部との間に空間が設けられることを特徴とする上記（２）記載の線香用箱。
【考案の効果】
【０００７】
本考案に係る線香用箱によれば、使用時には、線香が収容される線香収容部が斜めに配置されるので、斜めに立った状態の線香を容易に取り出すことが可能となる。
【０００８】
また、線香収容部に内傾斜部が設けられることにより、線香収容空間内に収容される線香に高低差が生じて斜めに配置されるので、線香の取り出しをさらに容易にすることができる。
【０００９】
また、左側壁と左側部との間および右側壁と右側部との間に空間が設けられるので、箱の外側から負荷が加わった場合にも線香を保護することができる。
【図面の簡単な説明】
【００１０】
【図１】本考案に係る線香用箱の不使用時の斜視図である。
【図２】蓋部および線香収納部を引き出した状態にある図１の線香用箱の斜視図である。
【図３】図１の線香用箱の使用時の斜視図である。
【図４】図１のＩＶ−ＩＶ断面図である。
【図５】図１のＶ−Ｖ断面図である。
【図６】図１の線香用箱の展開図である。
【考案を実施するための形態】
【００１１】
以下、本考案の一実施形態に係る線香用箱の実施形態を、図面に基づいて詳細に説明する。図１に示すように、本実施形態に係る線香用箱１０は略直方体形状の外観を有しており、本体２０と、蓋部４０と、線香収容部６０と、を備える。
【００１２】
図１〜５に示すように、本体２０は、基部２１と、基部２１の前後に立設された前壁２６および後壁２５と、基部２１の左右に立設された左側壁２３および右側壁２４と、を備える。前壁２６および後壁２５の左右両端部は、左側壁２３および右側壁２４によりそれぞれ連結されている。
【００１３】
図２に示すように、左側壁２３の上縁部には、左側壁２３に対して傾斜する左内壁３３が接続されており、右側壁２４の上縁部には、右側壁２４に対して傾斜する右内壁３４が接続されている。左内壁３３および右内壁３４の下縁部は、上面３１により接続される。上面３１は、基部２１の上に、補強用厚紙８１、下面３８を介して載置されている。上面３１の前後方向寸法は基部２１の前後方向寸法よりも小さく設定されており、上面３１の後縁部から後壁２５の上縁部２７にかけて、後壁２５に対して傾斜する後内壁３５が延びている。左側壁２３と左内壁３３との間には左部空間９３が、右側壁２４と右内壁３４との間には右部空間９４が、後壁２５と後内壁３５との間には後部空間９５が、それぞれ形成されている。
【００１４】
図１、２に示すように、蓋部４０は、被覆部４１と、被覆部４１の左右から略垂直に延びる左脚部４３および右脚部４４と、を備える。被覆部４１は、後壁２５の上縁部２７に回動可能に接続されており、被覆部４１の前縁部には凹部４２が形成されている。左脚部４３および右脚部４４の上下方向寸法は、本体２０の上下方向寸法と略等しく構成されている。また、被覆部４１の左右方向寸法は、本体２０内に位置決め可能な範囲内で本体２０の左右方向寸法とほぼ同等であり、被覆部４１の前後方向寸法は、本体２０の前後方向寸法の略半分程度に設定されている。
【００１５】
図１〜５に示すように、線香収容部６０は、上部６１と、底部６５と、上部６１および底部６５の左右両端をそれぞれ連結する左側部６３および右側部６４と、左側部６３および右側部６４の前端を連結する前部６２と、を備える。これら上部６１、底部６５、左側部６３、右側部６４および前部６２により形成される空間内に、複数の線香１００を収容可能な線香収容空間が形成される。線香収容部６０の後端側には開口部９２が設けられている。この開口部９２を介して線香１００は線香収容空間に出し入れ可能であり、線香１００の先端はこの開口部９２から突出する。上部６１の前縁部は、前壁２６の上縁部２８に回動可能に接続されている。上部６１の左右方向寸法は、本体２０内に位置決め可能な範囲内で本体２０の左右方向寸法とほぼ同等であるが、底部６５の左右方向寸法は、上部６１の左右方向寸法よりも小さく、上面３１の左右方向寸法とほぼ同等に構成されている。このように、図５に示すように、線香収容部６０は台形断面を有している。
【００１６】
線香収容部６０の内部には線香保持材８６が配置されており、線香保持材８６により複数の線香１００が保持されている。線香保持材８６は厚紙を折り畳むことにより形成されており、前部６２に対して傾斜する内傾斜部８６ａを前端側に有すると共に、後端側で開口している。複数の線香１００は開口部９２を介してこの後端側から線香保持材８６に対して挿入され、図４に示すように、内傾斜部８６ａに沿って斜めに収容される。前部６２と内傾斜部８６ａとの間には、前部空間９６が形成されている。また、線香保持材８６の上部分８６ｂは、上部６１を内側から補強する内側上部７１の左右方向略中央に設けられた突出部７２により下方向に押圧されており、内側上部７１と上部分８６ｂとの間に上部空間９１が形成されている。
【００１７】
図１は、不使用時の線香用箱１０を示す。不使用時、蓋部４０および線香収容部６０は本体２０内に位置決めされる。線香収容部６０の底部６５は上面３１上に載置され、線香収容部６０の上部６１の一部は蓋部４０の被覆部４１により覆われている（格納位置）。これにより、不使用時には、線香収容部６０内に収容された線香１００が露出することなく、輸送や保管等を安全に行なうことができる。
【００１８】
図４に示すように、本体２０に後方空間９５が設けられていることにより、後壁２５に対して外方から負荷が加えられた場合であっても、当該負荷は線香収容部６０にまで伝達されず、後方空間９５により吸収される。また、線香収容部６０に前方空間９６が設けられていることにより、前壁２６に対して外方から負荷が加えられた場合であっても、当該負荷は線香１００にまで伝達されず、前方空間９６により吸収される。また、線香収容部６０に上方空間９１が設けられていることにより、上部６１に対して外方から負荷が加えられた場合であっても、当該負荷は線香１００にまで伝達されず、上方空間９１により吸収される。
【００１９】
図５に示すように、左側部６３および右側部６４は左内壁３３および右内壁３４に沿うように傾斜している。本体２０に左方空間９３および右方空間９４が設けられていることにより、左側壁２３または右側壁２４に対して外方から負荷が加えられた場合であっても、当該負荷は線香収容部６０にまで伝達されず、左方空間９３および右方空間９４により吸収される。このように、本実施形態の線香用箱１０においては、上方空間９１、後方空間９５、前方空間９６、左方空間９３および右方空間９４が設けられていることにより、輸送時や保管時に外方から負荷が加えられた場合であっても、当該負荷が線香１００にまで伝達されず、線香１００の破損を防止することができる。
【００２０】
使用時には、図２に示すように、蓋部４０を本体２０の外方へと回動させ、次いで線香収容部６０を本体２０の外方へと回動させる。この状態から蓋部４０を元の方向へ、すなわち本体２０の内方へと戻すように回動させ、さらに線香収容部６０を内方へと回動させる。これにより、図３に示すように、線香収容部６０の底部６５が、蓋部４０の凹部４２上に支持され、線香収容部６０は基部２１に対して斜めに配置される（使用位置）。凹部４２の左右方向寸法は、底部６５の左右方向寸法とほぼ等しく構成されているので、基部２１は凹部４２上に安定的に支持される。線香収容部６０が斜めに配置されることにより、線香１００もまた斜めに立つこととなるので、開口部９２から露出した線香１００を容易に取り出すことができる。
【００２１】
また、内傾斜部８６ａが設けられていることにより、線香収容部６０内において複数の線香１００は内傾斜部８６ａに沿って斜めに収容されている。これにより、開口部９２から露出する複数の線香１００の先端が斜めに配置されるので、線香１００を一本ずつ容易に取り出すことができる。
【００２２】
本実施形態に係る線香用箱１０は、補強用台紙８１、線香保持材８６を除き、一枚の紙を折り畳むことにより形成することができる。例えば、図６に示すような展開図を所定の順序およびで折り畳み、組み立てることによって、本実施形態に係る線香用箱１０を作成することが可能である。
【００２３】
以上説明したように、本実施形態に係る線香用箱１０によれば、使用時には、線香収容部が斜めに配置されることにより、線香も斜めに立った状態となる。これにより、別途の線香入れへの移し替えをしなくても、線香を容易に取り出すことが可能となる。また、蓋部４０は本体２０の後壁２５の上縁部２７に回動自在に接続されているので、使用時にも蓋部４０が分離されることなく、取扱いが容易である。
【００２４】
また、線香収容部６０に内傾斜部８６ａが設けられることにより、線香収容空間内に収容される複数の線香１００に高低差が生じ、複数の線香１００の先端部が斜めに配置されるので、線香１００の取り出しをさらに容易にすることができ、取り出し時の線香１００の破損を防止することができる。
【００２５】
また、上方空間９１、後方空間９５、前方空間９６、左方空間９３および右方空間９４が設けられていることにより、線香用箱１０の外方から負荷が加わった場合にも、線香１００を保護することができる。
【００２６】
以上に本考案の一実施形態を説明したが、本考案は前記に限定されるものではなく、種々の変形が可能である。例えば、線香用箱１０は、紙以外の素材により構成されてもよく、他の立体形状の外観を有していてもよい。また、補強用厚紙８１は設けられなくてもよく、線香保持部８６が設けられずに、内傾斜部８６ａが線香保持部６０に直接設けられていてもよい。また、後内壁３５、左内壁３３および右内壁３４は設けられなくてもよい。
【符号の説明】
【００２７】
１０    線香用箱
２０    本体
４０    蓋部
６０    線香収容部
８６ａ  内傾斜部
１００  線香
【図１】
0003169817.tif 000003
【図２】
0003169817.tif 000004
【図３】
0003169817.tif 000005
【図４】
0003169817.tif 000006
【図５】
0003169817.tif 000007
【図６】
0003169817.tif 000008